(57)【要約】【課題】受信元電話機の対応者（受信者）が着信時に即応することができない状態において、該状態が解消した後の対応予定内容を発信元電話機の発信者に音声で自動的に応答することができるようにする。【解決手段】受信元電話機である携帯電話機１を所持する受信者が着信時に肉声で即応することができない状態において、該状態が解消した後の対応予定内容を予め設定した自動応答メッセージに従って発信元電話機である固定電話機２の発信者に音声で自動的に応答し、自動的に応答した発信元情報を受信者に報知する機能を付加した。【選択図】図１
2007060317.tif 000002
【特許請求の範囲】
【請求項１】
発信元電話機と通信回線を介して接続して通話可能にする受信元電話機において、
応答メッセージを作成する応答メッセージ作成手段と、予め作成した応答メッセージを記憶する応答メッセージ記憶手段と、前記応答メッセージ作成手段で作成した応答メッセージおよび前記応答メッセージ記憶手段に記憶している応答メッセージを表示する応答メッセージ表示手段と、前記応答メッセージ表示手段に表示された応答メッセージを選択して着信時の自動応答メッセージとして設定する応答メッセージ設定手段と、自動応答モードを設定する自動応答モード設定手段と、自動応答モードが設定されているときには前記メッセージ設定手段によって設定されている自動応答メッセージを着信時に自動的に音声に変換して応答する自動応答手段と、自動的に応答した発信元情報を記憶して報知する自動応答履歴報知手段を備えたことを特徴とする受信元電話機。
【請求項２】
請求項１において、更に、留守番電話モード設定手段を備え、前記自動応答手段は、自動応答モードが設定され、前記留守番電話モード設定手段によって留守番電話モードが設定されたときには自動応答モードを優先的に実行することを特徴とする受信元電話機。
【請求項３】
請求項１において、更に、マナーモード設定手段またはドライブモード設定手段を備え、前記自動応答手段は、自動応答モードが設定され、前記マナーモード設定手段によってマナーモードが設定され、またはドライブモード設定手段によってドライブモードが設定されたときには自動応答モードを優先的に実行することを特徴とする受信元電話機。
【請求項４】
請求項１〜３のいずれかの受信元電話機において、更に、自動応答モード設定時からの経過時間を計時する計時手段と、設定されている自動応答メッセージの時間情報を前記計時手段が計時した経過時間に基づいて修正する時間情報修正手段を備えたことを特徴とする受信元電話機。
【請求項５】
請求項２において、更に、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されている留守番電話モードに戻すことを特徴とする受信元電話機。
【請求項６】
請求項３において、更に、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されているマナーモードまたはドライブモードに戻すことを特徴とする受信元電話機。
【請求項７】
請求項５または６において、前記受信元電話機は携帯電話機であることを特徴とする受信元電話機。
【請求項８】
少なくとも２つの電話機が通信回線を介して接続して通話可能にする電話システムにおいて、
前記電話機は、応答メッセージを作成する応答メッセージ作成手段と、予め作成した応答メッセージを記憶する応答メッセージ記憶手段と、前記応答メッセージ作成手段で作成した応答メッセージおよび前記応答メッセージ記憶手段に記憶している応答メッセージを表示する応答メッセージ表示手段と、前記応答メッセージ表示手段に表示された応答メッセージを選択して着信時の自動応答メッセージとして設定する応答メッセージ選択手段と、自動応答モードを設定する自動応答モード設定手段と、自動応答モードが設定されているときには前記メッセージ選択手段によって選択して設定されている自動応答メッセージを着信時に自動的に音声に変換して応答する自動応答手段と、自動的に応答した発信元情報を記憶して報知する自動応答履歴報知手段を備えることを特徴とする電話システム。
【請求項９】
請求項８において、前記電話機は、更に、留守番電話モード設定手段を備え、前記自動応答手段は、自動応答モードが設定され、前記留守番電話モード設定手段によって留守番電話モードが設定されたときには自動応答モードを優先的に実行することを特徴とする電話システム。
【請求項１０】
請求項８において、前記電話機は、更に、マナーモード設定手段またはドライブモード設定手段を備え、前記自動応答手段は、自動応答モードが設定され、前記マナーモード設定手段によってマナーモードが設定され、またはドライブモード設定手段によってドライブモードが設定されたときには自動応答モードを優先的に実行することを特徴とする電話システム。
【請求項１１】
請求項８〜１０のいずれかの電話システムにおいて、前記電話機は、更に、自動応答モード設定時からの経過時間を計時する計時手段と、設定されている自動応答メッセージの時間情報を前記計時手段が計時した経過時間に基づいて修正する時間情報修正手段を備えたことを特徴とする電話システム。
【請求項１２】
請求項９において、前記電話機は、更に、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されている留守番電話モードに戻すことを特徴とする電話システム。
【請求項１３】
請求項１０において、前記電話機は、更に、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されているマナーモードまたはドライブモードに戻すことを特徴とする電話システム。
【請求項１４】
請求項１２または１３において、前記電話機は携帯電話機であることを特徴とする電話システム。
【発明の詳細な説明】
【技術分野】
【０００１】
本発明は、受信元電話機および電話システムに関する。
【背景技術】
【０００２】
通信回線を介して接続して通話する電話機は、着信時に応答することができない状態にあるときや音声応答（会話）することが望ましくない環境にあるときには、留守番電話サービスモードを設定したり、マナーモードやドライブモードを設定したり、着信時にテキストデータを作成して該テキストデータを音声データに変換して応答することにより対応するように構成されている。
【特許文献１】特開２００３−８６９６号公報
【発明の開示】
【発明が解決しようとする課題】
【０００３】
しかしながら、留守番電話サービスモードは、発信者からの伝言を受信して保持し、保持している伝言を再生する機能であり、マナーモードやドライブモードは、着信履歴を保持して表示する機能であり、その後に受信者が実行しようとする対応方法を発信者に伝達することができない。
【０００４】
また、着信時にテキストデータを作成して応答するマナーモードは、その都度テキストデータを作成する操作が必要であり、受信者の自由な行動を妨げることになる。
【０００５】
本発明の１つの目的は、着信時の適切な対応を自動的に実行することができる受信元電話機および電話システムを提案することにある。
具体的には、受信元電話機の対応者（受信者）が着信時に即応することができない状態において、該状態が解消した後の対応予定内容を発信元電話機の発信者に音声で自動的に応答することができることにある。
【課題を解決するための手段】
【０００６】
本発明の受信元電話機は、発信元電話機と通信回線を介して接続して通話可能にする受信元電話機において、応答メッセージを作成する応答メッセージ作成手段と、予め作成した応答メッセージを記憶する応答メッセージ記憶手段と、前記応答メッセージ作成手段で作成した応答メッセージおよび前記応答メッセージ記憶手段に記憶している応答メッセージを表示する応答メッセージ表示手段と、前記応答メッセージ表示手段に表示された応答メッセージを選択して着信時の自動応答メッセージとして設定する応答メッセージ設定手段と、自動応答モードを設定する自動応答モード設定手段と、自動応答モードが設定されているときには前記メッセージ設定手段によって設定されている自動応答メッセージを着信時に自動的に音声に変換して応答する自動応答手段と、自動的に応答した発信元情報を記憶して報知する自動応答履歴報知手段を備えたことを特徴とする。
そして、更に、留守番電話モード設定手段を備え、前記自動応答手段は、自動応答モードが設定され、前記留守番電話モード設定手段によって留守番電話モードが設定されたときには自動応答モードを優先的に実行することを特徴とする。
更には、マナーモード設定手段またはドライブモード設定手段を備え、前記自動応答手段は、自動応答モードが設定され、前記マナーモード設定手段によってマナーモードが設定され、またはドライブモード設定手段によってドライブモードが設定されたときには自動応答モードを優先的に実行することを特徴とする。
更には、自動応答モード設定時からの経過時間を計時する計時手段と、設定されている自動応答メッセージの時間情報を前記計時手段が計時した経過時間に基づいて修正する時間情報修正手段を備えたことを特徴とする。
更には、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されている留守番電話モードに戻すことを特徴とする。
更には、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されているマナーモードまたはドライブモードに戻すことを特徴とする。
また、前記受信元電話機は携帯電話機であることを特徴とする。
【０００７】
また、本発明は、少なくとも２つの電話機が通信回線を介して接続して通話可能にする電話システムにおいて、前記電話機は、応答メッセージを作成する応答メッセージ作成手段と、予め作成した応答メッセージを記憶する応答メッセージ記憶手段と、前記応答メッセージ作成手段で作成した応答メッセージおよび前記応答メッセージ記憶手段に記憶している応答メッセージを表示する応答メッセージ表示手段と、前記応答メッセージ表示手段に表示された応答メッセージを選択して着信時の自動応答メッセージとして設定する応答メッセージ選択手段と、自動応答モードを設定する自動応答モード設定手段と、自動応答モードが設定されているときには前記メッセージ選択手段によって選択して設定されている自動応答メッセージを着信時に自動的に音声に変換して応答する自動応答手段と、自動的に応答した発信元情報を記憶して報知する自動応答履歴報知手段を備えることを特徴とする。
そして、前記電話機は、更に、留守番電話モード設定手段を備え、前記自動応答手段は、自動応答モードが設定され、前記留守番電話モード設定手段によって留守番電話モードが設定されたときには自動応答モードを優先的に実行することを特徴とする。
また、前記電話機は、更に、マナーモード設定手段またはドライブモード設定手段を備え、前記自動応答手段は、自動応答モードが設定され、前記マナーモード設定手段によってマナーモードが設定され、またはドライブモード設定手段によってドライブモードが設定されたときには自動応答モードを優先的に実行することを特徴とする。
また、前記電話機は、更に、自動応答モード設定時からの経過時間を計時する計時手段と、設定されている自動応答メッセージの時間情報を前記計時手段が計時した経過時間に基づいて修正する時間情報修正手段を備えたことを特徴とする。
また、前記電話機は、更に、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されている留守番電話モードに戻すことを特徴とする。
また、前記電話機は、更に、自動応答モード設定時からの経過時間を計時する計時手段と、設定されている自動応答メッセージの時間情報を前記計時手段が計時した経過時間に基づいて修正する時間情報修正手段を備え、前記自動応答手段は、自動応答メッセージの時間情報がゼロに修正されたときに自動応答モードを終了して設定されているマナーモードまたはドライブモードに戻すことを特徴とする。
また、前記電話機は携帯電話機であることを特徴とする。
【発明の効果】
【０００８】
本発明は、受信元電話機の対応者（受信者）が着信時に即応することができない状態において、該状態が解消した後の対応予定内容を発信元電話機の発信者に音声で自動的に応答することができるので、着信時の適切な対応を自動的に行うことができる。
【発明を実施するための最良の形態】
【０００９】
本発明は、少なくとも２つの電話機が通信回線を介して接続して通話可能にする電話システムにおいて、
前記電話機は、応答メッセージを作成する応答メッセージ作成手段と、予め作成した応答メッセージを記憶する応答メッセージ記憶手段と、前記応答メッセージ作成手段で作成した応答メッセージおよび前記応答メッセージ記憶手段に記憶している応答メッセージを表示する応答メッセージ表示手段と、前記応答メッセージ表示手段に表示された応答メッセージを選択して着信時の自動応答メッセージとして設定する応答メッセージ選択手段と、自動応答モードを設定する自動応答モード設定手段と、留守番電話モード設定手段と、マナーモード設定手段またはドライブモード設定手段と、自動応答モード設定時からの経過時間を計時する計時手段と、設定されている自動応答メッセージの時間情報を前記計時手段が計時した経過時間に基づいて修正する時間情報修正手段と、自動応答モードが設定されているときには前記メッセージ選択手段によって選択して設定されている自動応答メッセージを着信時に自動的に音声に変換して応答する自動応答手段と、自動的に応答した発信元情報を記憶して報知する自動応答履歴報知手段を備え、
更に、前記自動応答手段は、自動応答モードが設定され、更に、類版電話モードまたはマナーモードまたはドライブモードが設定されたときには自動応答モードを優先的に実行し、自動応答メッセージの時間情報がゼロに修正されたときに自動応答モードを終了して設定されている留守番電話モードまたはマナーモードまたはドライブモードに戻すように構成する。
【実施例１】
【００１０】
固定電話機が発信元電話機となり、携帯電話機が受信元電話機となって両電話機が通信回線を介して接続する実施例を説明する。
【００１１】
図７は、受信元電話機である携帯電話機１と発信元電話機である固定電話機２が電話交換網を含む通信回線３を介して接続する電話システムである。
【００１２】
この電話システムにおいて、携帯電話機１は、外観上は従来の携帯電話機と同様の構成であり、ＬＣＤ表示パネル１１とスイッチ釦群１２を備え、受話器と無線送受信装置と制御回路装置を内蔵する。また、固定電話機２は、従来の固定電話機と同様の構成であり、ダイヤル釦群２１と受話器２２を備え、制御回路装置を内蔵する。
【００１３】
この実施例１の特徴は、受信元電話機である携帯電話機１に追加する自動応答機能であり、基本的には、携帯電話機１を所持する受信者が着信時に肉声で即応することができない状態において、該状態が解消した後の対応予定内容を予め設定した自動応答メッセージに従って発信元電話機である固定電話機２の発信者に音声で自動的に応答し、自動的に応答した発信元情報を受信者に報知する機能を付加したことにある。
【００１４】
このような自動応答機能を実現する携帯電話機１は次のように構成する。
携帯電話機１は、図２に示すように、スイッチ釦群１２として、電源釦（電源）１２１とメニュー釦１２２と選択釦１２３ａ〜１２３ｅとオンフック釦（通話）１２４とオフフック釦（終了）１２５とダイヤル・文字入力釦群１２６とドライブモード設定釦（ドライブ）１２７とマナーモード設定釦（マナー）１２８と留守電モード設定釦（留守）１２９を備え、受話器と無線送受信装置と制御回路装置を内蔵する。選択釦１２３ａ〜１２３ｄは、選択カーソルを上下・左右に移動するスイッチ釦であり、選択釦１２３ｅは、選択カーソルによって選択されている項目の選択を決定するスイッチ釦である。これらの各スイッチ釦１２１〜１２９は、押されることによって閉じる対応スイッチ接点（図示省略）を内側に内蔵する。
【００１５】
図１は、このような携帯電話機１に内蔵した受話器と無線送受信装置と制御回路装置の構成を示すブロック図である。
各種の機能を実現するための主たる制御処理を実行するＣＰＵ１３１と無線送受信回路１３２とＬＣＤ表示回路１３３と釦イッチ入力回路１３４と送受話回路１３５とメモリ１３６と音声合成処理回路１３７を備え、これらはバス１３８を介して相互に接続され、送受話回路１３５にはマイクロフォン１４１とスピーカ１４２が接続される。
【００１６】
ＣＰＵ１３１は、従来の携帯電話機と同様の携帯電話機能を実現すると共に該携帯電話機を所持する受信者が着信時に即応することができない状態において該状態が解消した後の対応予定内容を発信元電話機である固定電話機２の発信者に音声で自動的に応答し、自動的に応答した発信元情報を受信者に報知する機能を実現するための制御処理を実行する。この機能実現のための制御処理については、後述する。
【００１７】
無線送受信回路１３２は、通信回線３中の無線中継局と交信し、着信（受信）時または発信時には相手の電話機と接続して通話可能な状態にする。
【００１８】
ＬＣＤ表示回路１３３は、ＣＰＵ１３１からの指示に基づいてＬＣＤ表示パネル１１の表示制御を行う。
【００１９】
釦スイッチ入力回路１３４は、スイッチ釦群１２によって操作される各スイッチ接点（図示省略）の開閉状態を監視して何れかのスイッチ釦が押されると該スイッチ釦に対応するスイッチ釦入力信号を発生する。
【００２０】
送受話回路１３５は、ＣＰＵ１３１からの指示に基づいてマイクロフォン１４１とスピーカ１４２を動作状態として通信相手の電話機２との通話（音声交信）を可能にする。
【００２１】
メモリ１３６は、プログラムメモリ１３６ａと、応答メッセージ設定メモリ１３６ｂと、応答メッセージ作成メモリ１３６ｃと、自動応答先記憶メモリ１３６ｄと、その他のデータ記憶メモリ１３６ｅを備える。因に、プログラムメモリ１３６ａは、各種の機能を実現するためのプログラムを記憶し、応答メッセージ設定メモリ１３６ｂは、設定された自動応答メッセージを記憶し、応答メッセージ作成メモリ１３６ｃは、応答メッセージを作成するために使用し、自動応答先記憶メモリ１３６ｄは、自動応答した発信元の情報を記憶し、その他のデータ記憶メモリ１３６ｅは、その他の機能を実現するために必要な情報を記憶する。
【００２２】
音声合成処理回路１３７は、自動応答に使用する自動応答メッセージのテキストデータを音声データに変換するデータ処理機能を備える。
【００２３】
次に、応答メッセージの設定について説明する。
電源釦１２１が押されて稼働状態にあるときに、メニュー釦１２２が押されると、ＣＰＵ１３１は各種の機能選択画面をＬＣＤ表示パネル１１に表示するようにＬＣＤ表示回路１３３を制御する。そして、選択釦１２３ａ〜１２３ｅによって自動応答メッセージを作成して設定する機能が選択されると、図３に示すような応答メッセージ設定画面を表示させる。この応答メッセージ設定画面は、応答メッセージ設定メモリ１３６ｂを使用して表示する。
【００２４】
図３に示す応答メッセージ設定画面は、過去に作成した応答メッセージを選択して設定する作成済み応答メッセージ選択項目１１０１と、予め作成した応答メッセージ作成要素である状況説明を選択するための状況説明選択項目１１０２と、受信者が直に応答することが可能な状態となるまでの待ち時間を選択するための待ち時間選択項目１１０３と、受信者が応答することができる状態になったときの対応方法を選択するための対応選択項目１１０４と、作成して設定された自動応答メッセージを表示する応答メッセージ表示欄１１０５と、着信時に自動応答メッセージを音声に変換して送信する繰り返し回数を設定する再生回数欄１１０６を備える。ここで、状況説明選択項目１１０２と待ち時間選択項目１１０３と対応選択項目１１０４には、その要旨のみを表示する。
【００２５】
この応答メッセージ設定画面において、作成済み応答メッセージ選択項目１１０１が選択指示されると、図４に示すように、過去に作成した応答メッセージ１１０１ａと設定回数１１０１ｂを表示し、適合する応答メッセージ１１０１ａを選択して設定することを可能にする。そして、選択釦１２３ａ〜１２３ｅによって応答メッセージ１１０１ａから該当する応答メッセージを選択して決定すると該応答メッセージを自動応答メッセージとして決定し、該当する応答メッセージの設定回数１１０１ｂの回数に「１」を加算する。自動応答メッセージが決定すると、図３に示す応答メッセージ設定画面に戻して応答メッセージ表示欄１１０５に該応答メッセージを自動応答メッセージとして設定して表示する。
【００２６】
作成済み応答メッセージ選択項目１１０１に適合する応答メッセージが存在しないときには、新しい応答メッセージを作成することになる。そのときには、選択釦１２３ａ〜１２３ｅによって状況説明選択項目１１０２の１つが選択・決定されると該当する状況説明文を取り込んで応答メッセージ表示欄１１０５に表示し、待ち時間選択項目１１０３の１つが選択・決定されると該当する待ち時間説明文を取り込んで応答メッセージ表示欄１１０５に表示し、対応選択項目１１０４の１つが選択・決定されると該当する対応説明文を取り込んで応答メッセージ表示欄１１０５に表示する。図示の例では、状況説明選択項目１１０２の「運転中」と、待ち時間選択項目１１０３の「１時間」と「３０分」と、対応選択項目１１０４の「電話します」が選択・決定されて取り込んだときの自動応答メッセージを応答メッセージ表示欄１１０５に表示している。
【００２７】
そして、再生回数欄１１０６が選択されると、ダイヤル・文字入力釦群１２６から入力される数値を再生回数として取り込んで決定する。図示の例では、「３」が入力・決定された「３回」を表示している。このようにして設定した自動応答メッセージは、図４に示した作成済み応答メッセージとして新規登録する。
【００２８】
状況説明選択項目１１０２に適合する応答メッセージ作成要素が存在しないときには、選択釦１２３ａ〜１２３ｅによって「新規メッセージ」が選択・決定されると、図５に示すような新規応答メッセージ作成画面を表示する。この新規応答メッセージ作成画面は、応答メッセージ作成作成メモリ１３６ｃを使用して表示する。
【００２９】
図示の新規応答メッセージ作成画面は、発音テキストデータ入力欄１１０７ａと、発音テキストデータ入力欄１１０７ａに入力された発音かな文字を漢字混じり文字に変換して表示する表示内容欄１１０７ｂと、変換釦１１０７ｃを１組とする複数の作成欄を備える。
【００３０】
この新規応答メッセージ作成画面において、選択釦１２３ａ〜１２３ｅによって発音テキストデータ入力欄１１０７ａが選択されると、ダイヤル・文字入力釦群１２６からの入力によってかな文字の入力を可能にする。図２に示したダイヤル・文字入力釦群１２６には数字のみを表示しているが、実際には、５０音の各行の先頭文字をも合わせて表示してかな文字を選択入力可能にしている。かな文字が入力された後に変換釦１１０７ｃが選択されると、入力されているかな文字をかな漢字変換して漢字混じり文字を表示内容欄１１０７ｂに表示する。そして、決定スイッチ釦１２３ｅが押されると自動応答メッセージとして決定し、図３に示す応答メッセージ設定画面に戻して応答メッセージ表示欄１１０５に該自動応答メッセージを設定して表示する。
【００３１】
次に、着信時の自動応答について図６を参照して説明する。図６は、受信元電話機である携帯電話機１のＣＰＵ１３１が着信時の自動応答のために実行する制御処理のフローチャートである。
【００３２】
ステップ１３１ａ
各種の設定制御処理を行う。ここでは、前述したように、スイッチ釦群１２からの入力に応じて応答メッセージを作成・設定し、自動応答モードを設定するための処理を行う。また、留守番電話モードやマナーモードやドライブモードを設定するための処理も行う。留守番電話モードやマナーモードやドライブモードについては、周知の制御機能であるので具体的な説明を省略する。
【００３３】
ステップ１３１ｂ
着信待ち状態となって無線送受信回路１３２からの着信信号を監視する処理を行う。
【００３４】
ステップ１３１ｃ
着信があると自動応答モードが設定されているかどうかを確認して処理を分岐する処理を行う。自動応答モードと留守番電話モードまたはマナーモードまたはドライブモードが共に設定されているときには、自動応答モードを優先する処理を行うように分岐する。
【００３５】
ステップ１３１ｄ
自動応答モードが設定されているときには、設定されている自動応答メッセージの待ち時間情報と自動応答モードを設定したときからの経過時間に基づいて対応可能な状態になるまでの残りの待ち時間を計算する処理を行う。
【００３６】
ステップ１３１ｅ
対応待ち時間の有無を確認して処理を分岐する。
【００３７】
ステップ１３１ｆ
対応可能状態となるまでの待ち時間が残っているときには、自動応答メッセージの待ち時間情報を残りの待ち時間に修正し、修正後の自動応答メッセージを音声データに変換して発信元電話機（発信者）に応答（送信）する制御処理を行う。このときの音声応答回数は、再生回数欄１１０６に設定された回数とする。そして、この自動応答先の情報（発信元電話番号や自動応答メッセージや自動応答時刻）を記憶すると共にＬＣＤ表示パネル１１に表示するようにＬＣＤ表示回路１３３を制御する制御処理を行う。
【００３８】
ステップ１３１ｇ
着信時に自動応答モードが設定されていなかったときには、他の設定に応じた対応制御処理を行う。通常の待ち受け状態であれば、着信音を発生し、オンフック釦１２４が押されると通話回線を接続すると共に送受話回路１３５を動作させて音声通話することが可能な状態とし、オフフック釦１２５が押されると通話回線を遮断して着信待ち状態（ステップ１３１ｃ）に戻る制御処理を行う。また、留守番電話モードまたはマナーモードまたはドライブモードが設定されているときには、設定されているモードの制御処理を行う。
【００３９】
ステップ１３１ｈ
自動応答モードにおける残りの待ち時間がゼロになったことをＬＣＤ表示パネル１１に表示する制御処理を行う。
【００４０】
ステップ１３１ｉ
自動応答モードと共に設定されていた留守番電話モードまたはマナーモードまたはドライブモードの制御処理を行う。
【実施例２】
【００４１】
発信元電話機と受信元電話機は、何れも、固定電話機と携帯電話機の何れであっても実施例１の受信元電話機である携帯電話機と同様に構成することにより実施することができる。但し、固定電話機を使用して実施するときには、ドライブモードの機能は不要となる。
【図面の簡単な説明】
【００４２】
【図１】本発明の実施例１である携帯電話機の受話器と無線送受信装置と制御回路装置の構成を示すブロック図である。
【図２】実施例１の携帯電話機の正面図である。
【図３】実施例１の携帯電話機における応答メッセージ設定画面である。
【図４】実施例１の携帯電話機において過去に作成した応答メッセージを表示する画面である。
【図５】実施例１の携帯電話機における新規応答メッセージ作成画面である。
【図６】実施例１の携帯電話機におけるＣＰＵ１が着信時の自動応答のために実行する制御処理のフローチャートである。
【図７】実施例１の電話システムのブロック図である。
【符号の説明】
【００４３】
１…携帯電話機、２…固定電話機、３…通信回線、１１…ＬＣＤ表示パネル、１２…スイッチ釦群、２１…ダイヤル釦群、２２…受話器、１２１…電源釦（電源）、１２２…メニュー釦、１２３ａ〜１２３ｅ…選択釦、１２４…オンフック釦、１２５…オフフック釦、１２６…ダイヤル・文字入力釦群、１２７…ドライブモード設定釦、１２８…マナーモード設定釦、１２９…留守電モード設定釦、１３１…ＣＰＵ、１３２…無線送受信回路、１３３…ＬＣＤ表示回路、１３４…釦イッチ入力回路、１３５…送受話回路、１３６…メモリ、１３６ａ…プログラムメモリ、１３６ｂ…応答メッセージ設定メモリ、１３６ｃ…応答メッセージ作成メモリ、１３６ｄ…自動応答先記憶メモリ、１３６ｅ…その他のデータ記憶メモリ、１３７…音声合成処理回路、１３８…バス、１４１…マイクロフォン、１４２…スピーカ。
【図１】
2007060317.tif 000003
【図２】
2007060317.tif 000004
【図３】
2007060317.tif 000005
【図４】
2007060317.tif 000006
【図５】
2007060317.tif 000007
【図６】
2007060317.tif 000008
【図７】
2007060317.tif 000009